(57)【要約】【課題】温度センサの計測値に基づく冷媒回路の高圧保護制御を確実に行う制御装置を提供する。【解決手段】制御装置は、凝縮器の圧力について、凝縮器の温度に基づいて高圧保護制御を行う制御装置であって、凝縮器の温度が所定の第１温度に達すると、高圧保護制御を実行し、凝縮器の温度が、前記第１温度より低い所定の第２温度以上の場合、凝縮器の圧力の上昇速度を抑制する制御を行う。【選択図】図３
2019219072.tif 000002
【特許請求の範囲】
【請求項１】
凝縮器の圧力について、前記凝縮器の温度に基づいて高圧保護制御を行う制御装置であって、
前記凝縮器の温度が所定の第１温度に達すると、前記高圧保護制御を実行し、
前記凝縮器の温度が、前記第１温度より低い所定の第２温度以上の場合、前記凝縮器の圧力の上昇速度を抑制する制御を行う制御部、
を備える制御装置。
【請求項２】
前記制御部は、圧縮機の回転数を上昇させる制御において、前記凝縮器の温度が前記第１温度に達すると前記圧縮機の回転数を低下または停止させる前記高圧保護制御を実行し、前記温度が前記第２温度以上になると、前記圧縮機の回転数の上昇速度を、前記凝縮器の温度が前記第２温度より低いときよりも低速に制限する、
請求項１に記載の制御装置。
【請求項３】
前記温度が前記第２温度以上の場合の前記圧縮機の回転数の上昇速度が、１ｒｐｓ／１５秒から１ｒｐｓ／２０秒の間で設定されている、
請求項２に記載の制御装置。
【請求項４】
前記第１温度と前記第２温度の温度差は２℃以上４℃以下の範囲である、
請求項１から請求項３の何れか１項に記載の制御装置。
【請求項５】
冷房運転中に前記凝縮器の温度に基づいて前記高圧保護制御および前記凝縮器の圧力の上昇速度を抑制する制御を行う、
請求項１から請求項４の何れか１項に記載の制御装置。
【請求項６】
圧縮機と、凝縮器と、膨張弁と、蒸発器とを備える冷媒回路と、
前記凝縮器の温度を計測する温度センサと、
請求項１から請求項５の何れか１項に記載の制御装置と、
を備える空気調和機。
【請求項７】
圧縮機の回転数を上昇させる制御において、
凝縮器の温度を取得する温度取得ステップと、
前記凝縮器の温度に基づいて前記圧縮機の回転数の上昇速度を設定する上昇速度設定ステップと、を有し、
前記上昇速度設定ステップでは、前記温度が所定の第１温度に達すると前記圧縮機の回転数を低下または停止させ、前記温度が前記第１温度より低い第２温度に達すると、前記圧縮機の回転数の上昇速度に制限を加える、
制御方法。
【発明の詳細な説明】
【技術分野】
【０００１】
本発明は、制御装置、空気調和機及び制御方法に関する。
【背景技術】
【０００２】
空気調和機の冷房運転では、室外熱交換器が高圧側になる。室外機熱交換器に温度センサを設け、この温度センサが計測する温度に基づいて、高圧側の圧力を推定し、推定した圧力に基づいて圧縮機の制御を行うよう構成された空気調和機が提供されている。このような空気調和機では、室外機熱交換器に設けた温度センサが計測した温度が所定の閾値以上となると高圧異常を防ぐために高圧保護制御を行う。
【０００３】
高圧保護制御の例として、特許文献１には、暖房運転時に高圧側となる室内熱交換器の圧力上昇によって、圧縮機や冷媒回路の部品の故障等を防ぐために、室内熱交換器に送風するファンの回転数を低下させるときには、風量の低下と同調して圧縮機の回転数も低下させ、室内熱交換器に生じる圧力上昇を抑制する高圧保護制御が記載されている。
【先行技術文献】
【特許文献】
【０００４】
【特許文献１】特開平１１−２１１２４７号公報
【発明の概要】
【発明が解決しようとする課題】
【０００５】
ところで、室外熱交換器の温度によって圧力を推定して高圧保護制御を行う場合、特に圧力が急激に上昇する場面では、実際の圧力と温度センサが計測する温度との間に応答遅れによる乖離が生じる可能性がある。実際の圧力と計測された温度に乖離が生じると、例えば、温度センサによって室外熱交換器の高圧異常を検出したときには、実際の圧力は既に閾値を超えて上昇している可能性があり、空気調和機の故障や運転停止を招く原因となる。
【０００６】
そこでこの発明は、上述の課題を解決することのできる制御装置、空気調和機及び制御方法を提供することを目的としている。
【課題を解決するための手段】
【０００７】
本発明の一態様によれば、制御装置は、凝縮器の圧力について、前記凝縮器の温度に基づいて高圧保護制御を行う制御装置であって、前記凝縮器の温度が所定の第１温度に達すると、前記高圧保護制御を実行し、前記凝縮器の温度が、前記第１温度より低い所定の第２温度以上の場合、前記凝縮器の圧力の上昇速度を抑制する制御を行う制御部、を備える。
【０００８】
本発明の一態様によれば、前記制御部は、圧縮機の回転数を上昇させる制御において、前記凝縮器の温度が前記第１温度に達すると前記圧縮機の回転数を低下または停止させる前記高圧保護制御を実行し、前記温度が前記第２温度以上になると、前記圧縮機の回転数の上昇速度を、前記凝縮器の温度が前記第２温度より低いときよりも低速に制限する。
【０００９】
本発明の一態様によれば、前記温度が前記第２温度以上の場合の前記圧縮機の回転数の上昇速度は、１ｒｐｓ／１５秒から１ｒｐｓ／２０秒の間で設定されている。
【００１０】
本発明の一態様によれば、前記第１温度と前記第２温度の温度差は２℃以上４℃以下の範囲である。
【００１１】
本発明の一態様によれば、前記制御装置は、冷房運転中に前記凝縮器の温度に基づいて前記高圧保護制御および前記凝縮器の圧力の上昇速度を抑制する制御を行う。
【００１２】
本発明の一態様によれば、空気調和機は、圧縮機と、凝縮器と、膨張弁と、蒸発器とを備える冷媒回路と、前記凝縮器の温度を計測する温度センサと、上記の何れかに記載の制御装置と、を備える。
【００１３】
本発明の一態様によれば、制御方法は、圧縮機の回転数を上昇させる制御において、凝縮器の温度を取得する温度取得ステップと、前記凝縮器の温度に基づいて前記圧縮機の回転数の上昇速度を設定する上昇速度設定ステップと、を有し、前記上昇速度設定ステップでは、前記温度が所定の第１温度に達すると前記圧縮機の回転数を低下または停止させ、前記温度が前記第１温度より低い第２温度に達すると、前記圧縮機の回転数の上昇速度に制限を加える。
【発明の効果】
【００１４】
本発明によれば、凝縮器の圧力を制限値内に制御して冷凍サイクルを運転することができる。
【図面の簡単な説明】
【００１５】
【図１】本発明の一実施形態における空気調和機の一例を示す図である。
【図２】本発明の一実施形態における制御装置の一例を示すブロック図である。
【図３】本発明の一実施形態における圧縮機の回転数制御テーブルの一例を示す図である。
【図４】本発明の一実施形態における圧縮機の回転数の推移の一例を示す図である。
【図５】本発明の一実施形態における圧縮機の制御方法の一例を示すフローチャートである。
【発明を実施するための形態】
【００１６】
＜実施形態＞
以下、本発明の一実施形態による空気調和機での温度センサに基づく高圧保護制御について図１〜図５を参照して説明する。
図１は、本発明の一実施形態における空気調和機の一例を示す図である。
図１に、空気調和機１００の構成を示す。図１に示すように空気調和機１００は、圧縮機１、室内熱交換器２、膨張弁３、室外熱交換器４、四方弁５、及びそれらを接続する冷媒配管６などを含む冷媒回路と、この冷媒回路を制御する制御装置２０とを備える。例えば、室内機９には室内熱交換器２が、室外機１０には、膨張弁３、室外熱交換器４、四方弁５が設けられる。また、室外熱交換器４の圧縮機１側に冷媒の温度を計測する温度センサ１１が、室内熱交換器２には温度センサ１２が設けられている。図１に示す構成は、空気調和機１００の基本的な構成を模式図であって、さらに他の構成要素が含まれていてもよい。
【００１７】
圧縮機１は、冷媒を圧縮し、圧縮後の高温、高圧の冷媒を吐出する。暖房運転では、制御装置２０は、四方弁５のポート５ａとポート５ｂを接続し、ポート５ｃとポート５ｄを接続する。冷媒は矢印８の方向に流れる。つまり、高温、高圧の冷媒は、四方弁５を介して室内熱交換器２（凝縮器）に供給される。冷媒は、室内熱交換器２で放熱し、凝縮して液化する。室内熱交換器２で凝縮した冷媒は、膨張弁３によって減圧され、低圧の冷媒となる。低圧の冷媒は、室外熱交換器４（蒸発器）へ供給され、例えば外気からの吸熱により気化する。気化した冷媒は、四方弁５を通過して圧縮機１へ吸入される。圧縮機１は低圧の冷媒を圧縮して高圧の冷媒を吐出する。
【００１８】
また、冷房運転では、制御装置２０は、四方弁５のポート５ａとポート５ｄを接続し、ポート５ｂとポート５ｃを接続する。つまり、高温、高圧の冷媒は、四方弁５を介して室外熱交換器４（凝縮器）に供給され、外気へ放熱し凝縮する。凝縮した冷媒は膨張弁３によって減圧され、室内熱交換器２（蒸発器）へ供給される。室内熱交換器２では、冷媒は、室内の空気からの吸熱により気化する。気化した冷媒は、四方弁５を通過して圧縮機１へ吸入される。圧縮機１は低圧の冷媒を圧縮して高温、高圧の冷媒を吐出する。図１に示す冷媒回路では、上記の過程が繰り返されて冷媒が循環する。これにより空気調和機１００は、暖房または冷房を行う。制御装置２０は、四方弁５の制御により暖房運転と冷房運転の切り替えを行う。また、制御装置２０は、室内熱交換器２の温度センサ１２が計測する温度とユーザが設定した設定温度の差に基づいて、室温が設定温度となるように圧縮機１の回転数を調整し、暖房運転または冷房運転を実行する。
【００１９】
このような空気調和機１００では、冷媒回路の高圧異常を防止するために、制御装置２０は、高圧保護制御を実行する機能を有している。高圧保護制御とは、例えば冷房運転時に高圧となる室外熱交換器４の圧力が閾値に達すると、圧縮機１の回転数を維持したり低下させたり、あるいは圧縮機１を停止させたりして高圧の圧力上昇を抑える（高圧を低下させる）制御のことをいう。高圧保護制御によって、圧縮機１の回転数の上昇が止まり、室外熱交換器４の圧力が低下すると、制御装置２０は、高圧保護制御を解除し、圧縮機１の通常運転を再開する。ところで、冷房運転時の室外熱交換器４での冷媒の温度と圧力は概ね比例する。その為、配管内に圧力センサを設ける代わりに室外熱交換器４の配管に温度センサ１１を設け、温度センサ１１が計測する温度によって、室外熱交換器４での冷媒の圧力（高圧）を推定することができる。制御装置２０は、温度センサ１１が計測する温度ＴｈＯ−Ｒに基づいて高圧保護制御を行う。具体的には、制御装置２０は、温度ＴｈＯ−Ｒが、高圧が過度に上昇していることを示す温度となると、高圧保護制御を開始する。次に図２を用いて制御装置２０について説明する。
【００２０】
図２は、本発明の一実施形態における制御装置の一例を示すブロック図である。
制御装置２０は、例えばマイコン等のＣＰＵ（Central Processing Unit）やＭＰＵ（Micro Processing Unit）を備えたコンピュータである。制御装置２０は、室内機９、室外機１０を構成する機器に関する種々の制御を行う。以下、本実施形態の高圧保護制御に関係する機能に絞って説明を行う。図示するように制御装置２０は、センサ情報取得部２１と、圧縮機制御部２２とを備えている。圧縮機制御部２２は、回転数設定部２３を備えている。
【００２１】
センサ情報取得部２１は、温度センサ１１が計測した室外熱交換器４での冷媒の温度ＴｈＯ−Ｒと、温度センサ１２が計測した室内熱交換器２での冷媒の温度を取得する。
圧縮機制御部２２は、圧縮機１の起動停止、回転数の制御を行う。例えば、圧縮機制御部２２は、温度ＴｈＯ−Ｒが所定の第１温度（例えば４９℃）に達すると圧縮機１の高圧保護制御を実行する。具体的には、圧縮機１の回転数を低下または停止させる。圧縮機制御部２２は、温度ＴｈＯ−Ｒが所定の第３温度（例えば４５℃）に低下するまでの間、圧縮機１の回転数の低下や停止を継続する。また、圧縮機制御部２２は、冷房運転中に圧縮機１の回転数が上昇する場面で、温度ＴｈＯ−Ｒが所定の第２温度（例えば４５〜４７℃の間の所定値）以上、第１温度以下となると、圧縮機１の回転数の上昇速度に制限を加える。圧縮機１の回転数の上昇速度に制限を加えるとは、温度ＴｈＯ−Ｒが第２温度より低い場合の回転数上昇速度よりも低速な上昇速度で圧縮機１の回転速度を上昇させることをいう。
【００２２】
回転数設定部２３は、圧縮機１の回転数の上昇速度や低下速度を設定する。例えば、回転数設定部２３は、温度ＴｈＯ−Ｒが第１温度に達すると、圧縮機１の回転数の低下速度（例えば、８ｒｐｓ／１秒）を設定する。また、回転数設定部２３は、圧縮機１の回転数を上昇させる場面で、温度ＴｈＯ−Ｒが第２温度（例えば、４５℃）に達すると、圧縮機１の回転数の上昇速度（例えば、１ｒｐｓ／２０秒）を設定する。圧縮機制御部２２は、回転数設定部２３が設定した上昇速度や低下速度で、圧縮機１の回転数を上昇させたり低下させたりする。
【００２３】
図３に温度ＴｈＯ−Ｒの温度帯ごとの圧縮機１の回転数の上昇速度および低下速度の設定例を示す。図３は、本発明の一実施形態における圧縮機の回転数制御テーブルの一例を示す図である。回転数設定部２３は、回転数制御テーブルに基づいて圧縮機１の回転数の変化速度を設定する。
【００２４】
図３に示す「一般領域」とは、例えば、温度ＴｈＯ−Ｒが４５℃未満の温度領域である。温度ＴｈＯ−Ｒが「一般領域」の範囲にある場合、回転数設定部２３は、圧縮機１の回転数の上昇速度を、回転数制御テーブルの設定に基づいて、「Ｎ１」ｒｐｓ／秒（例えば、１ｒｐｓ／秒）に、低下速度を「Ｎ２」ｒｐｓ／秒（例えば、１ｒｐｓ／秒）に設定する。「Ｎ１」＝１の場合、１秒をかけて１秒間あたりの回転数を１回転だけ上昇させることを意味する。
【００２５】
「制限領域」とは、例えば、温度ＴｈＯ−Ｒが４５℃以上４９℃未満の温度領域である。温度ＴｈＯ−Ｒが「制限領域」の範囲にある場合、回転数設定部２３は、圧縮機１の回転数の上昇速度を「Ｌ１」ｒｐｓ／秒（例えば、１ｒｐｓ／２０秒）に、低下速度を「Ｌ２」ｒｐｓ／秒（例えば、１ｒｐｓ／秒）に設定する。
【００２６】
「保護領域」とは、例えば、温度ＴｈＯ−Ｒが４９℃以上の温度領域である。温度ＴｈＯ−Ｒが「保護領域」の範囲にある場合、回転数設定部２３は、圧縮機１の回転数の低下速度を「Ｐ２」ｒｐｓ／秒（例えば、８ｒｐｓ／秒）に設定する。温度ＴｈＯ−Ｒが「保護領域」に達すると、回転数を低下させるので（高圧保護制御）、上昇速度は設定されていない。
【００２７】
従来の高圧保護制御の場合、「制御領域」を設けず、「一般領域」における上昇速度のまま、温度ＴｈＯ−Ｒが第１温度（「保護領域」）に達するまで回転数を上昇させる。このような制御の場合、急激に圧縮機１の回転数が上昇するような場面では、温度センサ１１による高圧の推定が困難になることがある。例えば、負荷が高く、高圧保護制御の解除後に再び圧縮機１の回転数が上昇するような場合、急激な圧縮機１の回転数の上昇に伴う圧力の上昇が、温度として現れるまでの間には時間的な遅れが生じる。温度ＴｈＯ−Ｒに基づいて圧力を推定し、高圧保護制御を実行する場合、この応答遅れにより、高圧保護制御の開始が遅れ、その間にも圧縮機１の回転数が比較的高速な上昇速度（例えば、１ｒｐｓ／秒）のまま、上昇し続けてしまう。圧縮機１の回転数が上昇すると、室外熱交換器４の圧力はさらに上昇し、許容範囲を超えてしまう。そこで、本実施形態では、温度ＴｈＯ−Ｒが「保護領域」に達する前段階（「制限領域」）になると、圧縮機１の回転数の上昇速度を抑制し、圧力の急激な上昇を防止する（圧力の上昇速度を抑制する）制御を行う。これにより、実際の圧力と温度ＴｈＯ−Ｒが示す圧力との乖離が低減し、実際の圧力変化に追随して圧縮機１の回転数を制御することができるようになる。
【００２８】
次に図４を用いて、圧縮機制御部２２による圧縮機１の回転数制御の例を説明する。
図４は、本発明の一実施形態における圧縮機の回転数の推移の一例を示す図である。
図４の縦軸は温度ＴｈＯ−Ｒを、横軸は時間を示している。図中のグラフＬ１は、圧縮機１の回転数の変化を表している。温度Ｔ１は第１温度（例えば、４９℃）の例、温度Ｔ２は第２温度（例えば、４５℃）および第３温度の例である（本例では第２温度＝第３温度とする）。また、空気調和機１００は冷房運転中で、圧縮機１の回転数が上昇する場面であるとする。
時刻ｔ０において、温度ＴｈＯ−Ｒは温度Ｔ２より低い。つまり、冷媒回路の高圧は、それほど高くない状態である。回転数設定部２３は、温度ＴｈＯ−Ｒが温度Ｔ２より低いことに基づいて、図３で例示した回転数制御テーブルに基づいて、圧縮機１の回転数の上昇速度を「Ｎ１」ｒｐｓ／秒に設定する。圧縮機制御部２２は、回転数設定部２３が設定した上昇速度で圧縮機１の回転数を上昇させながら、圧縮機１を駆動する。
【００２９】
次に時刻ｔ１において、温度ＴｈＯ−Ｒが温度Ｔ２に達する。つまり、冷媒回路の高圧は「制限領域」に達し、やや高い状態である。回転数設定部２３は、温度ＴｈＯ−Ｒが温度Ｔ２（第２温度）に達したことに基づいて、圧縮機１の回転数の上昇速度を「Ｌ１」ｒｐｓ／秒に設定する。圧縮機制御部２２は、回転数設定部２３が設定した上昇速度で緩やかに圧縮機１の回転数を上昇させる。
【００３０】
次に時刻ｔ２において、温度ＴｈＯ−Ｒが温度Ｔ１に達する。つまり、冷媒回路の高圧は許容範囲の上限に達しており、高圧保護制御を開始しなければならない状態である。回転数設定部２３は、温度ＴｈＯ−Ｒが温度Ｔ１に達したことに基づいて、圧縮機１の回転数の低下速度を「Ｐ２」ｒｐｓ／秒に設定する。圧縮機制御部２２は、回転数設定部２３が設定した低下速度で圧縮機１の回転数を低下させる（高圧保護制御）。
【００３１】
次に時刻ｔ３において、温度ＴｈＯ−Ｒが温度Ｔ２（第３温度）まで低下する。つまり、高圧は、高圧保護制御を解除できる程度に低下している。回転数設定部２３は、温度ＴｈＯ−Ｒが温度Ｔ２（第２温度）以上でＴ１（第１温度）未満の範囲にあることに基づいて、圧縮機１の回転数の上昇速度を「Ｌ１」ｒｐｓ／秒に設定する。圧縮機制御部２２は、回転数設定部２３が設定した上昇速度で圧縮機１の回転数を上昇させる。
【００３２】
なお、例えば、時刻ｔ４において室内の温度が設定温度に達しているような場合、圧縮機制御部２２は、圧縮機１の回転数を低下もしくは維持する。回転数を低下させる場合には、回転数設定部２３は、回転数制御テーブルに基づいて、圧縮機１の回転数の低下速度を「Ｌ２」ｒｐｓ／秒に設定する。圧縮機制御部２２は、回転数設定部２３が設定した低下速度で圧縮機１の回転数を低下させる。
【００３３】
ここで、第１温度と第２温度の温度差をあまり広く設定すると、室温と設定温度の温度差が大きい場合などに空調の応答性が悪くユーザの快適性が損なわれるおそれがある。反対に温度差が小さすぎると、高圧の急激な上昇を十分に抑えられない可能性がある。第１温度と第２温度の適切な温度差は、例えば、２℃以上４℃以下の範囲である。例えば、第１温度が４９℃の場合、第２温度は４５℃〜４７℃の範囲で設定されることが好ましい。
【００３４】
また、「制限領域」における上昇速度（「Ｌ１」ｒｐｓ／秒）は、室外熱交換器４の圧力が上昇する速度に遅れることなく、温度ＴｈＯ−Ｒによって正確に高圧を推定できる範囲内となるよう設定する必要がある。「Ｌ１」の値が大きいと、温度ＴｈＯ−Ｒが示す圧力と実際の圧力に差が生じ、圧力が閾値を超えて上昇する状況を検出できない能性がある。また、「Ｌ１」の値が小さいと、圧縮機１の回転数を上昇させる場面（例えば、冷房時に室温と設定温度の差が大きく、なるべく早い室温の低下が求められている場面）で圧縮機１を十分に稼働させることができずユーザの快適性を損なってしまう。「制限領域」における圧縮機１の回転数の上昇速度の適切な値は、例えば、１ｒｐｓ／２０秒（２０秒かけて１秒あたりの回転数を１回転増加させる）〜１ｒｐｓ／１５秒（１５秒かけて１秒あたりの回転数を１回転増加させる）程度である。
【００３５】
次に圧縮機１の回線数制御の流れについて図５を用いて説明する。
図５は、本発明の一実施形態における圧縮機の制御方法の一例を示すフローチャートである。
空気調和機１００は、冷房運転中であるとする。また、温度センサ１１、１２の各々は、冷房運転中に計測した温度を制御装置２０へ送信する。制御装置２０では、センサ情報取得部２１が、それらの温度の計測値を取得し、圧縮機制御部２２へ出力する。
まず、圧縮機制御部２２が、圧縮機１の回転数を上昇させるか否かを判定する（ステップＳ１１）。例えば、温度センサ１２が計測した温度と設定温度との温度差が所定値以上であれば、圧縮機制御部２２は、圧縮機１の回転数を上昇させると判定する。
【００３６】
また、例えば、温度センサ１２が計測した温度と設定温度との温度差が所定値以下であれば、圧縮機制御部２２は、圧縮機１の回転数を上昇するとの判定を行わない。その場合（ステップＳ１１；Ｎｏ）、圧縮機制御部２２は、圧縮機１の回転数を維持または低下させる。例えば、回転数設定部２３が、温度センサ１１が計測した温度ＴｈＯ−Ｒと図３で例示した回転数制御テーブルに基づいて低下速度を設定する。圧縮機制御部２２は、回転数設定部２３が設定した低下速度で回転数を低下させつつ、圧縮機１を駆動する。
【００３７】
圧縮機１の回転数を上昇させると判定した場合（ステップＳ１１；Ｙｅｓ）、圧縮機制御部２２は、温度ＴｈＯ−Ｒが「一般領域」、「制御領域」、「保護領域」の何れの領域に属するかを判定する（ステップＳ１４）。
【００３８】
温度ＴｈＯ−Ｒが「一般領域」にある場合、回転数設定部２３が、温度ＴｈＯ−Ｒと図３で例示した回転数制御テーブルに基づいて上昇速度「Ｎ１」ｒｐｓ／秒を設定する。圧縮機制御部２２は、「Ｎ１」ｒｐｓ／秒で回転数を上昇させつつ、圧縮機１を駆動する。
【００３９】
温度ＴｈＯ−Ｒが「制御領域」にある場合、回転数設定部２３が、温度ＴｈＯ−Ｒと図３で例示した回転数制御テーブルに基づいて上昇速度「Ｌ１」ｒｐｓ／秒を設定する。圧縮機制御部２２は、「Ｌ１」ｒｐｓ／秒で回転数を上昇させつつ、圧縮機１を駆動する。
【００４０】
温度ＴｈＯ−Ｒが「保護領域」にある場合、回転数設定部２３が、温度ＴｈＯ−Ｒと図３で例示した回転数制御テーブルに基づいて低下速度「Ｐ２」ｒｐｓ／秒を設定する。圧縮機制御部２２は、「Ｐ２」ｒｐｓ／秒で回転数を低下させつつ、圧縮機１を駆動する。
圧縮機制御部２２は、ステップＳ１１以下の制御を繰り返し行う。
【００４１】
本実施形態によれば、空気調和機１００の冷房運転中に高圧が上昇する運転状態でも、高圧の急激な上昇を防ぎ、温度センサで高圧を推定できるようにする。これにより、高圧を制限値内に制御し、空気調和機１００の連続運転が可能になる。また、高圧異常による圧縮機１やその他の機器の故障を防ぐことができる。
【００４２】
なお、上記の説明では、冷房運転時の室外熱交換器４の温度に基づいて高圧保護制御を行う例を挙げたが、同様に、暖房運転時に室内熱交換器２に設けた温度センサ１２が計測する温度に基づいて暖房運転時の高圧保護制御を実行するシステムがあれば、本実施形態の制御をそのシステムに適用することができる。
【００４３】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
圧縮機制御部２２は、制御部の一例である。
【符号の説明】
【００４４】
１・・・圧縮機
２・・・室内熱交換器
３・・・膨張弁
４・・・室外熱交換器
５・・・四方弁
５ａ、５ｂ、５ｃ、５ｄ・・・ポート
６・・・冷媒配管
９・・・室内機
１０・・・室外機
１１・・・温度センサ
１２・・・温度センサ
２０・・・制御装置
２１・・・センサ情報取得部
２２・・・圧縮機制御部
２３・・・回転数設定部
１００・・・空気調和機
【図１】
2019219072.tif 000003
【図２】
2019219072.tif 000004
【図３】
2019219072.tif 000005
【図４】
2019219072.tif 000006
【図５】
2019219072.tif 000007